(57)【要約】      （修正有）【課題】素早い撮像が可能な撮像装置を有する携帯電子機器および撮像方法を提供する。【解決手段】携帯電子機器は、撮像装置１０を有する携帯電子機器であって、撮像装置１０は、光学系１０１と、光学系１０１を通過した被写体像を少なくとも２回撮像する撮像部１０２とを有し、撮像部１０２は、第１の撮像を行うときには、被写体ＯＢＪを無限遠点で撮像し、前記第１の撮像後、第２の撮像を行うときには、前記被写体ＯＢＪを合焦点で撮像する。【選択図】図２
2010175748.tif 000002
【特許請求の範囲】
【請求項１】
撮像装置を有する携帯電子機器であって、
前記撮像装置は、
光学系と、
当該光学系を通過した被写体像を少なくとも２回撮像する撮像部と
を有し、
前記撮像部は、
第１の撮像を行うときには、前記被写体像を無限遠点で撮像し、前記第１の撮像後、第２の撮像を行うときには、前記被写体像を合焦点で撮像する
携帯電子機器。
【請求項２】
前記光学系の焦点位置を設定する設定部を有し、
前記設定部は、
前記撮像部が第１の撮像を行うときには、前記焦点位置を無限遠点に設定し、前記第１の撮像後、前記撮像部が第２の撮像を行うときには、前記焦点を合焦させる
請求項１に記載の携帯電子機器。
【請求項３】
前記撮像装置は、
前記第１の撮像と前記第２の撮像とを行う第１の撮像モードと、
前記第２の撮像のみを行う第２の撮像モードと
を有し、
前記制御部は、
前記第１の撮像モードにおいて、前記撮像部が前記第１の撮像を行うときには、前記焦点位置を無限遠点に設定し、前記第１の撮像後、前記撮像部が前記第２の撮像を行うときには、前記焦点を合焦させ、
前記第２の撮像モードにおいて、前記撮像部が前記第２の撮像を行うときには、前記焦点を合焦させる
請求項２に記載の携帯電子機器。
【請求項４】
前記第１の撮像における前記撮像部の出力と、前記第２の撮像における前記撮像部の出力との内、少なくともいずれか一の出力を記憶する記憶部を有する
請求項１から３のいずれか一項に記載の携帯電子機器。
【請求項５】
通信を行う通信部と、
少なくとも、前記通信部と前記撮像装置とに電力を供給するバッテリ部と、
前記バッテリ部のバッテリ残量を監視する監視部と
を有し、
前記監視部は、
前記第１の撮像モードが選択され、前記バッテリ部のバッテリ残量が規定値以下の場合に、前記第１の撮像モードを前記第２の撮像モードに切り替える切り替え信号を出力し、
前記設定部は、
前記切り替え信号を受けた場合には、前記第２の撮像モードで前記焦点位置を設定する
請求項３または４に記載の携帯電子機器。
【請求項６】
第１の撮像を行うときに、光学系を通過した被写体像を無限遠点で撮像するステップと、
前記第１の撮像後、少なくとも第２の撮像を行うときに、前記光学系を通過した前記被写体像を合焦点で撮像するステップと
を有する撮像方法。
【発明の詳細な説明】
【技術分野】
【０００１】
本発明は、たとえば、撮像装置を有する携帯電子機器および撮像方法に関するものである。
【背景技術】
【０００２】
近年、携帯電話機などの携帯電子機器には、デジタルカメラ等の撮像装置が搭載されているものが多い。このような携帯電子機器では、その携帯性と扱いの容易性から、手軽に被写体を撮像（撮影）することができる。
ところで、携帯電子機器に搭載された撮像装置は、オートフォーカス機構を有することが多い。オートフォーカス機構を有する撮像装置では、焦点が自動的に合焦される（特許文献１、２）。
【先行技術文献】
【特許文献】
【０００３】
【特許文献１】特開２００３−２３４９３７号公報
【特許文献２】特開２００３−１１４３７８号公報
【発明の概要】
【発明が解決しようとする課題】
【０００４】
しかしながら、オートフォーカス機構を有する撮像装置では、シャッタキーが押下されてからピントが合うまで、１秒程度の時間を要する。特に、動いている被写体を撮像する場合には、シャッタチャンスを逃す可能性が高いという不利益がある。
【０００５】
本発明は、素早い撮像が可能な撮像装置を有する携帯電子機器および撮像方法を提供することにある。
【課題を解決するための手段】
【０００６】
本発明の携帯電子機器は、撮像装置を有する携帯電子機器であって、前記撮像装置は、光学系と、前記光学系を通過した被写体像を少なくとも２回撮像する撮像部とを有し、前記撮像部は、第１の撮像を行うときには、前記被写体像を無限遠点で撮像し、前記第１の撮像後、第２の撮像を行うときには、前記被写体像を合焦点で撮像する。
【０００７】
好適には、本発明の携帯電子機器は、前記光学系の焦点位置を設定する設定部を有し、前記設定部は、前記撮像部が第１の撮像を行うときには、前記焦点位置を無限遠点に設定し、前記第１の撮像後、前記撮像部が第２の撮像を行うときには、前記焦点を合焦させる。
【０００８】
好適には、前記撮像装置は、前記第１の撮像と前記第２の撮像とを行う第１の撮像モードと、前記第２の撮像のみを行う第２の撮像モードとを有し、前記制御部は、前記第１の撮像モードにおいて、前記撮像部が前記第１の撮像を行うときには、前記焦点位置を無限遠点に設定し、前記第１の撮像後、前記撮像部が前記第２の撮像を行うときには、前記焦点を合焦させ、前記第２の撮像モードにおいて、前記撮像部が前記第２の撮像を行うときには、前記焦点を合焦させる。
【０００９】
好適には、本発明の携帯電子機器は、前記第１の撮像における前記撮像部の出力と、前記第２の撮像における前記撮像部の出力との内、少なくともいずれか一の出力を記憶する記憶部を有する。
【００１０】
好適には、本発明の携帯電子機器は、通信を行う通信部と、少なくとも、前記通信部と前記撮像装置とに電力を供給するバッテリ部と、前記バッテリ部のバッテリ残量を監視する監視部とを有し、前記監視部は、 前記第１の撮像モードが選択され、前記バッテリ部のバッテリ残量が規定値以下の場合に、前記第１の撮像モードを前記第２の撮像モードに切り替える切り替え信号を出力し、前記設定部は、前記切り替え信号を受けた場合には、前記第２の撮像モードで前記焦点位置を設定する。
【００１１】
本発明の撮像方法は、第１の撮像を行うときに、光学系を通過した被写体像を無限遠点で撮像するステップと、前記第１の撮像後、少なくとも第２の撮像を行うときに、前記光学系を通過した前記被写体像を合焦点で撮像するステップとを有する。
【発明の効果】
【００１２】
本発明によれば、素早く撮像することができる。
【図面の簡単な説明】
【００１３】
【図１】図１は、本発明の実施形態に係る携帯電子機器の概略ブロック図である。
【図２】図２は、本発明の実施形態に係るカメラ部の構成例を示す概略ブロック図である。
【図３】図３は、本発明の実施形態に係る第１の撮像モードが選択されたときのカメラ部の動作例を示すフローチャートである。
【図４】図４は、本発明の実施形態に係る第２の撮像モードが選択されたときのカメラ部の動作例を示すフローチャートである。
【図５】図５は、本発明の低消費電力機能の一例を説明するためのフローチャートである。
【発明を実施するための形態】
【００１４】
以下、本発明の実施形態を図面に関連付けて説明する。
【００１５】
［携帯電子機器１の全体像］
携帯電子機器１の全体像について説明する。
図１は、本発明の実施形態に係る携帯電子機器の概略ブロック図である。
図１に図示するように、携帯電子機器１は、カメラ部（本発明の撮像装置）１０、アンテナ１１、通信部１２、制御部１３、記憶部１４、音声入出力部１５、表示部１６、操作部１７、およびバッテリ（本発明のバッテリ部）１８を有する。
【００１６】
携帯電子機器１は、本実施形態においては、携帯電話機である。携帯電子機器１は、例えばＰＨＳ（Personal Handy phone System）等の携帯電子機器であってもよい。携帯電子機器１は、例えば、通話機能、電子メール機能、Ｗｅｂサイトの閲覧機能、カメラ機能、および低消費電力機能を有する。
【００１７】
通話機能は、他の通信機器と音声通話を行う機能である。電子メール機能は、電子メールの作成、電子メールの送受信を行う機能である。音声通話や電子メールの使用時には、ネットワークを介して他の通信機器と通信が行われる。
【００１８】
カメラ機能は、カメラ部１０を用いて被写体を撮像することができる機能である。撮像時には、素早く被写体を撮像（撮影）するための第１の撮像モードと、消費電力を低減させるため第２の撮像モードとの内、いずれかを選択することができる。
【００１９】
低消費電力機能は、バッテリ１８のバッテリ残量が規定値以下になった場合に、第１の撮像モードが選択されていても、第１の撮像モードから第２の撮像モードに自動的に切り替わる機能である。
【００２０】
カメラ部１０は、オートフォーカス（ＡＦ）機構を有する。オートフォーカス機構により、焦点位置が自動的に設定される。先に述べたように、オートフォーカスでは、シャッタキーを押下してから焦点が合焦し、撮像が可能になるまでに、１秒程度の時間を要する。このため、動く被写体を撮像する場合には、シャッタチャンスを逃す恐れがある。
【００２１】
そこで、カメラ部１０は、第１の撮像モードが選択された場合には、次の動作を行う。詳細には、カメラ部１０は、撮像が開始された（カメラが起動された）ときに、焦点位置を無限遠点に設定する。そして、シャッタキーが押下されると、焦点位置が無限遠点に設定された状態で、第１回目の撮像が行われる。その後、カメラ部１０は、焦点を合焦させ、第２回目の撮像を行う。
【００２２】
したがって、１回のシャッタキーの押下によって、２枚の画像が得られる。第１回目の撮像では、焦点位置が無限遠点であるため、パンフォーカス方式のカメラで撮像された程度の画像しか得られない。しかしながら、この撮像を行う時点では、焦点位置を設定するフォーカスレンズ（図２参照）の移動がないため、ベストショットを得ることができる可能性が高い。
これに対し、第２回目の撮像では、焦点が合焦しているため、解像度に応じた画像を得ることができる。ただし、フォーカスレンズの駆動時間が生じるため、このとき得られた画像は、ベストショットでない可能性が残される。
【００２３】
このため、第１回目の撮像による画像と、第２回目の撮像による画像とを記憶部１４に記憶することで、２回目の撮像終了後に、好ましい画像を取捨選択することができる。
【００２４】
ところで、カメラ部１０は、第２の撮像モードが選択された場合に、次の動作を行う。詳細には、カメラ部１０は、第１の撮像モードと同様に、撮像が開始された（カメラが起動された）ときに、焦点位置を無限遠点に設定する。ただし、シャッタキーが押下されると、カメラ部１０は、焦点を合焦させた後、撮像を行う。
【００２５】
このように、第２の撮像モードは、オートフォーカスによって焦点位置が設定されるモードである。したがって、１回のシャッタキーの押下によって、１枚の画像が得られる。そして、好適に、この画像を保存することができる。
【００２６】
アンテナ１１は、本実施形態においては内蔵型アンテナである。アンテナ１１は、例えばロッドアンテナであってもよい。アンテナ１１は、所定の周波数帯域における電磁波を基地局（不図示）に向けて送信、あるいは基地局から受信する。
【００２７】
通信部１２は、制御部１３が出力した送信信号を所定の変調方式に変調し、変調した送信信号を電波信号としてアンテナ１１を介して基地局に送信する。通信部１２は、アンテナ１１を介して基地局から受信した電波信号を変調方式に対応した復調を行い、復調した信号を受信信号として制御部１３に出力する。
【００２８】
制御部１３は、バッテリ監視部１３１を有する。制御部１３は、例えば、ＣＰＵ、ＤＳＰ（Digital Signal Processor）、マイクロプロセッサ等の処理装置で構成されている。制御部１３は、携帯電子機器１の全般の動作を制御および画像処理を行う。
【００２９】
具体的には、制御部１３は、通話機能、電子メール機能、カメラ機能、Ｗｅｂサイトの閲覧機能等を行うための処理を行う。制御部１３は、例えば、カメラ部１０の制御、通信部１２の通信制御、記憶部１４とのアクセス、音声入出力部１５における音声処理の制御、表示部１６へのデータ表示、操作部１７の操作による文字の入力を行う。
【００３０】
バッテリ監視部１３１は、バッテリ１８のバッテリ残量を監視する。バッテリ容量が規定値以下に達した場合、バッテリ監視部１３１は、次の処理を行う。この規定値は、例えば、バッテリ残量がバッテリの充電容量の１／３以下となる値である。無論、この規定値は、バッテリ残量がバッテリの充電容量の半分以下等、好適に設定することができる。
【００３１】
具体的にはカメラ部１０が起動しているときに、第１の撮像モードが選択されている場合、バッテリ監視部１３１は、カメラ部１０に、第１の撮像モードを第２の撮像モードに切り替えるための切り替え信号Ｓ１３１を出力する。カメラ部１０は、この切り替え信号Ｓ１３１を受けた場合には、第２に撮像モードで撮像する。
【００３２】
記憶部１４は、例えば不揮発性の記憶デバイス（フラッシュメモリ）やランダムアクセス可能な記憶デバイス（ＳＲＡＭ、ＤＲＡＭ）等で構成されている。
記憶部１４には、カメラ部１０によって撮像された画像、電話帳、スケジュール帳、オペレーティングシステム、アプリケーションプログラム、制御部１３の出力結果、プログラムの処理過程で利用される一時的なデータ等が格納される。
【００３３】
音声入出力部１５は、制御部１３から供給されたデジタルの音声データをスピーカ１５ａを介して出力するため、デジタルの音声データに対して、デジタル・アナログ（Ｄ／Ａ）変換、増幅等の信号処理を施す。
音声入出力部１５は、マイクロフォン１５ｂから入力されたアナログの音声信号をデジタルの音声データに変換して制御部１３に出力するため、アナログの音声信号に対して、増幅、アナログ・デジタル（Ａ／Ｄ）変換、符号化等の処理を施す。
【００３４】
表示部１６は、例えば、液晶パネルで構成されている。表示部１６を、例えば、有機ＥＬ（Electro-Luminescence）パネル等の表示デバイスで構成することができる。表示部１６は、制御部１３から供給された映像信号に応じた種々の情報を表示する。
具体例には、表示部１６は、カメラ部１０によって撮像された画像、プレビュー画像（スルー画像）、待ち受け画面、メニュー画面等を表示する。
【００３５】
操作部１７は、例えば、電源キー、通話キー、数字キー、文字キー、方向キー、決定キー、シャッタキーが割り当てられた複数のキーを有する。シャッタキーは、撮像開始の指示、および撮像指示をカメラ部１０に与える際に押下される。
操作部１７は、これらのキーがユーザによって操作された場合、その操作内容に対応する操作信号Ｓ１７を発生し、これをユーザの指示として制御部１３に出力する。
【００３６】
バッテリ１８は、充電電池であって、例えば、リチウムイオン電池で構成されている。バッテリ１８は、外部電源（不図示）から電力が供給されることによって、電力を充電する。バッテリ１８は、携帯電子機器１を構成している電子部品、例えば、カメラ部１０、通信部１２、制御部１３、記憶部１４、表示部１６に電力を供給する。
【００３７】
［カメラ部１０の詳細］
カメラ部１０を図２に関連付けて説明する。
図２は、本発明の実施形態に係るカメラ部の構成例を示す概略ブロック図である。
【００３８】
図２に図示するように、カメラ部１０は、光学系（テイキングレンズ）１０１、撮像素子（本発明の撮像部）１０２、駆動部（本発明の設定部）１０３、アナログフロントエンド部（ＡＦＥ）１０４、タイミングジェネレータ１０５、およびカメラ信号処理部１０６を有する。
図２には、制御部１３、記憶部１４、表示部１６、および操作部１７も図示されている。
【００３９】
光学系１０１は、被写体ＯＢＪを撮影した像を撮像素子１０２に供給する。詳細には、光学系１０１は、フォーカスレンズ１０１１、およびズーム光学系１０１２を含む。
フォーカスレンズ１０１１は、焦点位置を設定するためのレンズである。
【００４０】
撮像素子１０２は、本実施形態においては、ＣＣＤ（Charge Coupled Device）が採用されている。例えば、ＣＣＤの代わりにＣＭＯＳ（Complementary Metal Oxide Semiconductor）センサを採用することもできる。
撮像素子１０２は、光学系１０１で取り込んだ像が結像される。撮像素子１０２は、光としての像を光電変換によって、１次画像としての電気信号ＦＩＭへ変換し、これをアナログフロントエンド部１０４に出力する。
【００４１】
駆動部１０３は、カメラ信号処理部１０６の出力による制御部１３の指示の下、被写体ＯＢＪまでの距離に応じた所定の繰り出し位置へフォーカスレンズ１０１１を駆動する（移動させる）。
【００４２】
アナログフロントエンド部１０４は、アナログ／デジタル（Ａ／Ｄ）コンバータ１０４１を有する。
Ａ／Ｄコンバータ１０４１は、撮像素子１０２から入力されるアナログ信号をデジタル信号に変換する。そして、Ａ／Ｄコンバータ１０４１は、例えば、ベイヤー（Bayer）配列となっているデジタル信号をカメラ信号処理部１０６に出力する。
【００４３】
タイミングジェネレータ１０５は、カメラ信号処理部１０６の制御の下、撮像素子１０２の駆動タイミングを生成し、これを撮像素子１０２およびアナログフロントエンド部１０４に出力する。
【００４４】
カメラ信号処理部１０６は、ＲＡＷバッファ１０６１、ＲＧＢ変換部１０６２、ＹＵＶ変換部１０６３、Ｙ′ＵＶ処理部１０６４、およびＪＰＥＧエンジン１０６５を有する。
【００４５】
カメラ信号処理部１０６には、アナログフロントエンド部１０４から撮像画像のデジタル信号が入力される。このデジタル信号（デジタルデータ）は、例えば、ベイヤー配列となっている。
【００４６】
このため、ＲＡＷバッファ１０６１は、このデジタル信号をいったん蓄える。その後、ＲＧＢ変換部１０６２は、ＲＡＷバッファ１０６１が蓄えたデジタル信号に補間処理を施す。これにより、デジタル信号は、Ｒプレーン、Ｇプレーン、Ｂプレーンに変換される（ＲＧＢ変換）。
そして、ＹＵＶ変換部１０６３は、ＲＧＢ変換部１０６２によってＲＧＢ変換されたデジタル信号（Ｒプレーン、Ｇプレーン、Ｂプレーン）を、輝度、色差信号に変換する（ＹＵＶ変換）。
【００４７】
その後、Ｙ′ＵＶ処理部１０６４は、輝度信号Ｙ′ＵＶを表示部１６に表示し、これをＪＰＥＧエンジン１０６５に出力する。ＪＰＥＧエンジン１０６５は、例えば、Ｙ′ＵＶ処理されたデジタル信号をＪＰＥＧ形式のファイル圧縮を行った後、これを画像として記憶部１４に出力する。
【００４８】
［カメラ部１０の動作例（第１の撮像モード）］
第１の撮像モードが選択されたときのカメラ部１０の動作例を図３に関連付けて説明する。
図３は、本発明の実施形態に係る第１の撮像モードが選択されたときのカメラ部の動作例を示すフローチャートである。
【００４９】
図３に図示するように、撮像開始の指示がカメラ部１０に与えられるものとする。この撮像指示は、カメラ部１０を起動させるものである。このとき、ユーザは、操作部１７を用いて、カメラ機能を起動させるためのキー操作を行う。
【００５０】
駆動部１０３は、制御部１３から撮像開始の指示を受けると、焦点位置が無限遠点となるように、フォーカスレンズ１０１１を光軸ＡＸＩＳ方向に駆動（移動）する（ＳＴ１１）。そして、駆動部１０３は、撮像指示を受けるまでの期間、フォーカスレンズ１０１１の位置を焦点位置が無限遠点となる位置に維持する。
【００５１】
詳細には、操作部１７のシャッタキーが押下された場合（ＳＴ１２のＹＥＳ）、第１回目の撮像が行われる。このシャッタキーの押下は、撮像素子１０２に被写体ＯＢＪを撮像させるための撮像指示である。このとき、撮像素子１０２は、焦点位置が無限遠点の状態で被写体ＯＢＪを撮像する（ＳＴ１３）。
そして、１回目の撮像による画像が生成される。このとき、カメラ信号処理部１０６は、撮像素子１０２からアナログフロントエンド部１０４を介して入力された撮像画像のデジタル信号から１枚目の画像を生成する。カメラ信号処理部１０６は、一旦、これを記憶部１４に格納する。
【００５２】
一方、操作部１７のシャッタキーが押下されていない場合（ＳＴ１２のＮＯ）、シャッタキーが押下されるまでの期間、駆動部１０３は、フォーカスレンズ１０１１の位置を焦点位置が無限遠点となる位置に維持する。
【００５３】
その後、駆動部１０３は、焦点位置の設定を行う（ＳＴ１４）。このとき、駆動部１０３は、焦点が合焦するように、フォーカスレンズ１０１１を光軸ＡＸＩＳ方向に駆動する。
焦点が合焦している場合には（ＳＴ１５のＹＥＳ）、第２回目の撮像が行われる（ＳＴ１６）。このとき、撮像素子１０２は、焦点が合焦した状態で被写体ＯＢＪを撮像する。そして、２回目の撮像による画像が生成される。このとき、カメラ信号処理部１０６は、第１回目の撮像が行われたときと同様にして、２枚目の画像を生成する。カメラ信号処理部１０６は、一旦、これを記憶部１４に格納する。
一方、焦点が合焦していない場合には（ＳＴ１５のＮＯ）、駆動部１０３は、再び焦点の設定を行う（ＳＴ１４）。そして、焦点が合焦した後、第２回目の撮像が行われる（ＳＴ１６）。
【００５４】
その後、２枚の画像を取捨選択できるように、制御部１３は、一旦記憶部１４に格納された２枚の画像を読み出して、これら２枚の画像を表示部１６に表示させる（ＳＴ１７）。これによって、ユーザは、２枚の画像を確認することができる。
【００５５】
その後、制御部１３は、２枚の画像を保存するか否かを促す選択肢を表示部１６に表示させる（ＳＴ１８）。このとき、ステップＳＴ１８において、表示部１６には、（１）２枚の画像を保存する（ＹＥＳ）、（２）１枚目の画像を保存する（ＹＥＳ）、（３）２枚目の画像を保存する（ＹＥＳ）、および（４）２枚の画像を破棄する（ＮＯ）、という４つの選択肢が選択可能に表示される。
なお、選択肢の選択基準は、期待に近い画像が得られたか否か等、ユーザが適宜判断する。
【００５６】
２枚の画像を保存するという選択肢が選択された場合（ＳＴ１９）、２枚の画像がそのまま保存される。
１枚目の画像を保存するという選択肢が選択された場合（ＳＴ１１０）、制御部１３は、記憶部１４に格納されている２枚目の画像を消去させる。これにより、１枚目の画像のみが記憶部１４に保存される。
２枚目の画像を保存するという選択肢が選択された場合（ＳＴ１１１）、制御部１３は、記憶部１４に格納されている１枚目の画像を消去させる。これにより、２枚目の画像のみが記憶部１４に保存される。
２枚の画像を破棄するという選択肢が選択された場合（ＳＴ１１２）、制御部１３は、記憶部１４に格納されている２枚の画像を消去させる。
その後、カメラ部１０は、その動作を停止する。
【００５７】
このように、第１の撮像モードが選択された場合には、一度の撮像指示で２回の撮像が行われる。１回目の撮像は、シャッタキーが押下された後に、直ちに撮像が行われるため、画質が劣るものの、シャッタチャンスを逃すことなく、ベストショットを得ることが容易となる。２回目の撮像は、ベストショットのタイミングから若干ずれるものの、鮮明な画像を得ることができる。
【００５８】
２回の撮像によって生成された２枚の画像を取捨選択して保存することができるため、無駄な画像を保存する必要がなく、記憶部１４を有効活用することができる。
【００５９】
以上のことから、第１の撮像モードは、動きの激しい被写体等、直ちに撮像を行いたい場合に有益である。手動操作によるフォーカスの固定等の煩わしい操作を行うことなく、期待に近い画像を得ることが容易となる。
［カメラ部１０の動作例（第２の撮像モード）］
第２の撮像モードが選択されたときのカメラ部１０の動作例を図４に関連付けて説明する。
図４は、本発明の実施形態に係る第２の撮像モードが選択されたときのカメラ部の動作例を示すフローチャートである。
【００６０】
第２の撮像モードでは、オートフォーカスによる撮像が行われるため、一度の撮像指示で１回の撮像が行われる。即ち、シャッタキーが押下された場合にのみ、撮像が行われる。以下、第２の撮像モードを具体的に説明する。
【００６１】
図４に図示するように、撮像開始の指示がカメラ部１０に与えられるものとする。このとき、ユーザは、操作部１７を用いて、カメラ機能を起動させるためのキー操作を行う。
第１の撮像モードと同様に、駆動部１０３は、制御部１３から撮像開始の指示を受けると、焦点位置が無限遠点となるように、フォーカスレンズ１０１１を光軸ＡＸＩＳ方向に駆動（移動）する（ＳＴ２１）。
【００６２】
その後、操作部１７のシャッタキーが押下された場合（ＳＴ２２のＹＥＳ）、駆動部１０３は、焦点位置の設定を行う（ＳＴ２３）。このとき、駆動部１０３は、焦点が合焦するように、フォーカスレンズ１０１１を光軸ＡＸＩＳ方向に駆動する。
【００６３】
一方、操作部１７のシャッタキーが押下されていない場合（ＳＴ２２のＮＯ）、シャッタキーが押下されるまでの期間、駆動部１０３は、フォーカスレンズ１０１１の位置を焦点位置が無限遠点となる位置に維持する。
【００６４】
その後、焦点が合焦している場合には（ＳＴ２４のＹＥＳ）、撮像が行われる（ＳＴ２５）。このとき、撮像素子１０２は、焦点が合焦した状態で被写体ＯＢＪを撮像する。そして、カメラ信号処理部１０６は、画像を生成し、これを記憶部１４に格納する。
一方、焦点が合焦していない場合には（ＳＴ２４のＮＯ）、駆動部１０３は、再び焦点の設定を行う（ＳＴ２３）。そして、焦点が合焦した後、撮像が行われる（ＳＴ２５）。
【００６５】
［低消費電力機能の詳細］
低消費電力機能について説明する。携帯電子機器１を始めとする多くの携帯電子機器では、通話時の消費電流は１００ｍＡ程度である。カメラ部１０が搭載された携帯電子機器１では、オートフォーカスによる撮像時に５０ｍＡ程度の電流を消費する。両者の消費電圧が同程度であるならば、撮像時には、通話時の半分程度の電力が消費される。
特に、第１の撮像モードでは、２回の撮像が行われる。このため、第１の撮像モードによる撮像は、第２の撮像モードによるものよりも多くの電力を消費する。
【００６６】
ところで、カメラ部１０は、デジタルカメラのように撮像を目的としたカメラや、携帯電子機器１のような通信機器に搭載することができる。本実施形態のように、カメラ部１０が携帯電子機器１に搭載された場合、手軽に撮像することができる反面、カメラ部１０の動作時には、通話時の半分程度の電力を消費する。特に、携帯電子機器１では、通信を行うため、バッテリの消費をできるだけ抑える必要がある。
【００６７】
そこで、携帯電子機器１では、カメラ部１０が起動され、バッテリ１８のバッテリ残量が規定値以下になった場合に、第１の撮像モードが選択されていても、第１の撮像モードから第２の撮像モードに自動的に切り替わる。
【００６８】
以下、低消費電力機能における上述の動作を図５に関連付けて説明する。
図５は、本発明の低消費電力機能の一例を説明するためのフローチャートである。
【００６９】
ここでは、カメラ部１０が起動しているものとして説明を行う。図５に図示するように、バッテリ監視部１３１は、バッテリ１８のバッテリ残量を監視している（ＳＴ３１）。
【００７０】
バッテリ監視部１３１は、バッテリ残量が規定値以下になった場合（ＳＴ３１のＮＯ）、第１の撮像モードが選択されているか否かを判別する（ＳＴ３２）。なお、バッテリ残量が規定値以上の場合（ＳＴ３１のＮＯ）、バッテリ監視部１３１は、バッテリ残量の監視を継続する。
【００７１】
第１の撮像モードが選択されている場合（ＳＴ３２のＹＥＳ）、バッテリ監視部１３３は、第１の撮像モードを第２に撮像モードに切り替えるための切り替え信号Ｓ１３１をカメラ部１０に出力する。カメラ部１０は、この切り替え信号Ｓ１３１を受けると、第２の撮像モードで撮像する。そして、一連の処理が終了する。
一方、第１の撮像モードが選択されていない場合（ＳＴ３２のＮＯ）、即ち、第２の撮像モードが選択されている場合、一連の処理が終了する。
【００７２】
このように、低消費電力機能によれば、バッテリの電力消費を最小限にしつつ、カメラ部１０を用いて撮像を行うことができる。
【００７３】
以上詳細に説明したように、携帯電子機器１では、カメラ機能において、第１の撮像モードと、第２の撮像モードとを有する。第１の撮像モードは、ベストショットを撮りたい場合に有益である。第２の撮像モードは、高画質の画像を得たい場合や、バッテリの消費電力を低減させたい場合に有益である。
【００７４】
［実施形態の変形例１］
実施形態の第１の変形例について説明する。第１の撮像モードでは、一度の撮像指示で２回の撮像が行われるが、一度の撮像指示で３回以上の撮像を行なうようにしてもよい。一度の撮像指示で３回の撮像を行う場合について、例を挙げる。
【００７５】
例えば、ステップＳＴ１６の処理後、ステップＳＴ１４のように、再び焦点を設定する。そして、焦点が合焦した後、３回目の撮像を行う。そして、３枚目の画像を記憶部１４に保存させる。そして、ステップＳＴ１８〜ＳＴ１１２のように、３枚の画像のうち、期待に近い画像をユーザに取捨選択させる。
【００７６】
このように、一度の撮像指示で３回以上の撮像を行なうことにより、連続撮像（連写）を行うことができる。動画を生成することもできる。
【００７７】
［実施形態の変形例２］
実施形態の第２の変形例について説明する。第１の撮像モードでは、撮像された２枚の画像を取捨選択することができる。多画素化に伴い画質が向上すると、画像のデータ容量も向上する。この場合、より多くの記憶容量を確保する必要がある。
そこで、記憶部１４の空き容量が規定容量以下になった場合には、１回目の撮像（ＳＴ１３）で得られた１枚目の画像のみを記憶部１４に保存させることができる。無論、２回目の撮像（ＳＴ１６）で得られた２枚目の画像のみを記憶部１４に保存させることもできる。この規定容量は、記憶部１４の記憶容量の１／１０等、好適に設定することができる。
このように、記憶部１４を有効に活用することができる。
【００７８】
他の変形例として、この他、ステップＳＴ１９〜ＳＴ１１２において、デフォルトで２枚の画像を記憶部１４に保存させること等もできる。
【符号の説明】
【００７９】
１…携帯電子機器、１０…カメラ部（撮像装置）、１１…アンテナ、１２…通信部、１３…制御部、１４…記憶部、１５…音声入出力部、１５ａ…スピーカ、１５ｂ…マイクロフォン、１６…表示部、１７…操作部、１８…バッテリ（バッテリ部）、１０１…光学系（テイキングレンズ）、１０２…撮像素子（撮像部）、１０３…駆動部（設定部）、１０４…アナログフロントエンド部、１０５…タイミングジェネレータ、１０６…カメラ信号処理部、１３１…バッテリ監視部、１０１１…フォーカスレンズ、１０１２…ズーム光学系、１０４１…アナログ／デジタル（Ａ／Ｄ）コンバータ、１０６１…ＲＡＷバッファ、１０６２…ＲＧＢ変換部、１０６３…ＹＵＶ変換部、１０６４…Ｙ’ＵＶ処理部、１０６５…ＪＰＥＧエンジン、Ｓ１３１…切り替え信号
【図１】
2010175748.tif 000003
【図２】
2010175748.tif 000004
【図３】
2010175748.tif 000005
【図４】
2010175748.tif 000006
【図５】
2010175748.tif 000007